(57)【要約】【課題】平面画像及び立体画像を裸眼で可視させ、立体画像の視野を広くする。【解決手段】画像表示部７が平面画像を表示する場合は、立体フィルター部８を点線で示すように画像表示部７の表示面部よりも外側の退避位置に移動して停止するように、制御部１０がフィルター駆動部９を制御し、画像表示部７が立体画像を表示する場合は、立体フィルター部８を画像表示部７の表示面部の前側の可視位置に移動して停止するように、制御部１０がフィルター駆動部９を制御し、スロットマシン１では、画像表示部７の表示面部に表示された平面画像及び立体画像が画像可視部２２を経由して裸眼で可視できるようになっているうえ、立体フィルター部８が画像表示部７に多視点画像として表示された立体画像を異なった方向に偏光することにより人の左目及び右目を通して人の脳に立体画像として知覚させる多層光学フイルムの板状に形成し、立体画像に対する視野が広い。【選択図】図１
2015016129.tif 000002
【特許請求の範囲】
【請求項１】
躯体部の内部に、回胴表示部と、回胴表示部の周囲に配置された平面画像及び立体画像の表示可能な画像表示部と、画像表示部に表示された立体画像を裸眼で可視し得る範囲に対応する板状の立体フィルター部と、立体フィルター部を画像表示部の表示面部よりも外側の退避位置と画像表示部に表示面部の前側の可視位置とに移動する駆動部とを備えたことを特徴とする遊技機。
【請求項２】
躯体部の内部に、遊技盤部と、遊技盤部の後部に配置された平面画像及び立体画像表示可能な画像表示部と、画像表示部に表示された立体画像を裸眼で可視し得る範囲に対応する板状の立体フィルター部と、立体フィルター部を画像表示部の表示面部よりも外側の退避位置と画像表示部の表示面部の前側の可視位置とに移動する駆動部とを備えたことを特徴とする遊技機。
【請求項３】
立体フィルター部が画像表示部に多視点画像として表示された立体画像を異なった方向に偏光することにより人の左右の目に立体画像として知覚させるＣＬＲにより構成されたことを特徴とする請求項１又は請求項２に記載の遊技機。
【発明の詳細な説明】
【技術分野】
【０００１】
本発明は、平面画像及び立体画像を裸眼で可視できるスロットマシン又はパチンコ機等の遊技機に関する。
【背景技術】
【０００２】
図１０は、特許文献１で開示された平面画像及び立体画像を裸眼で可視可能なパチンコ機８１を示す。図１０において、パチンコ機８１の内部には、遊技盤部８２が収容される。遊技盤部８２には、演出表示部８３が設けられる。遊技盤部８２及び演出表示部８３は、パチンコ機８１の前方に居る人によりパチンコ機８１のガラス窓部８４を経由して可視可能になっている。演出表示部８３は、画像表示部８５と左右の収容部８６；８７と左右の立体可視部８８；８９とを備える。立体可視部８８；８９は、遮光性フレームで囲まれて支持された左右のメガネ部９０；９１を個別に備える。そして、画像表示部８５に立体画像が表示される場合は、左右の立体可視部８８；８９が図外のモーター部により軸部９２；９３を回転中心として回転して左右の収容部８６；８７から画像表示部８５の前面に仮想線で示すように出現して、パチンコ機８１の前方に居る人が左右のメガネ部９０；９１を通して画像表示部８５の立体画像を裸眼で可視可能になり、又、画像表示部８５に平面画像が表示される場合は、左右の立体可視部８８；８９が図外のモーター部により軸部９２；９３を回転中心として回転して画像表示部８５の前面から左右の収容部８６；８７に点線で示すように収容されて、パチンコ機８１の前方に居る人が画像表示部８５に表示された平面画像を裸眼で可視可能になる。しかしながら、左右の立体可視部８８；８９が左右のメガネ部９０；９１を遮光性フレームで囲んで支持した構造であるので、立体画像に対する視野が狭くなる。
【先行技術文献】
【特許文献】
【０００３】
【特許文献１】特開２００７‐３１９２３７号公報
【発明の概要】
【発明が解決しようとする課題】
【０００４】
本発明は、上記背景技術に鑑みてなされたものであり、立体画像に対する視野を広くできることを目的とする。
【課題を解決するための手段】
【０００５】
本発明は、躯体部の内部に、回胴表示部と、回胴表示部の周囲に配置された平面画像及び立体画像の表示可能な画像表示部と、画像表示部に表示された立体画像を裸眼で可視し得る範囲に対応する板状の立体フィルター部と、立体フィルター部を画像表示部の表示面部よりも外側の退避位置と画像表示部に表示面部の前側の可視位置とに移動するフィルター駆動部とを備えたことを特徴とするか、又は、躯体部の内部に、遊技盤部と、遊技盤部の後部に配置された平面画像及び立体画像表示可能な画像表示部と、画像表示部に表示された立体画像を裸眼で可視し得る範囲に対応する板状の立体フィルター部と、立体フィルター部を画像表示部の表示面部よりも外側の退避位置と画像表示部の表示面部の前側の可視位置とに移動するフィルター駆動部とを備えたことを特徴とする。
【発明の効果】
【０００６】
本発明は、画像表示部が立体画像を表示する場合には板状の立体フィルター部が画像表示部に表示された立体画像の前側に対応する可視位置に停止することにより、遊技機の前方に居る人が板状の立体フィルター部を経由して画像表示部に表示された立体画像を裸眼で可視でき、画像表示部が平面画像を表示する場合には板状の立体フィルター部が退避位置に停止することにより、遊技機の前方に居る人が画像表示部に表示された平面画像を裸眼で可視できるうえ、立体フィルター部が板状であるので立体画像に対する視野が広くなる効果がある。
【図面の簡単な説明】
【０００７】
【図１】発明を実施するための形態１に係るスロットマシンを示す正面からの斜視図。
【図２】発明を実施するための形態１に係る表示ユニット部を示す正面図。
【図３】発明を実施するための形態１に係るスロットマシンの表示ユニット部の周囲を縦方向に切断して示す断面図。
【図４】発明を実施するための形態１に係る立体フィルター部の立体画像を認識させるメカニズムを示す平面図に相当する模式図。
【図５】発明を実施するための形態１に係る立体フィルター部と画像表示部との相関を示す正面図に相当する模式図。
【図６】発明を実施するための形態２に係るパチンコ機を示す正面からの斜視図。
【図７】発明を実施するための形態２に係るパチンコ機の表示ユニット部の周囲を縦方向に切断して示す断面図。
【図８】発明を実施するための形態３に係る立体フィルター部のガイド部を示す側面図に相当する模式図。
【図９】発明を実施するための形態４に係る立体フィルター部を示す正面図に相当する模式図。
【図１０】従来のパチンコ機を示す正面図に相当する模式図。
【発明を実施するための形態】
【０００８】
本明細書における「前」、「後」、「左」、「右」、「上」、「下」の方向は、図１の状態にスロットマシン１を置いて矢印Ｓで示す前側から見た場合に特定される方向、又は、図６の状態にパチンコ機６１を置いて矢印Ｓで示す前側から見た場合に特定される方向である。
【０００９】
図１を参照し、発明を実施するための形態１に係るスロットマシン１について説明する。図１において、１はスロットマシン、２は躯体部、３は筐体部、４は前面部、５は把手部、６は回胴表示部、７は画像表示部、８は立体フィルター部、９はフィルター駆動部、１０は制御部、１１はホッパー部、１２は払い出し部、１３は図柄可視部、１４は当り有効表示部、１５は操作台部、１６はメダル投入部、１７はスタート操作部、１８はストップ操作部、１９は賭け数設定部、２０はメダル出口部、２１はメダル受皿部、２２は画像可視部、２３は表示灯部である。
【００１０】
スロットマシン１の構成について説明すると、スロットマシン１の躯体部２は、筐体部３と前面部４とを備える。筐体部３は、前方を開放し、上下左右及び後の囲まれた方形な箱形であり、遊技店の島設備と呼ばれる遊技機設置設備に取り付けられる。前面部４は、筐体部３の前部に開閉可能に取り付けられる。把手部５は、筐体部３の左右の側壁部に設けられる。図１では、筐体部３の右の側壁部に設けられた把手部５だけを図示した。回胴表示部６、画像表示部７、立体フィルター部８、フィルター駆動部９、制御部１０、ホッパー部１１及び払い出し部１２は、筐体部３又は前面部４の何れかに取り付けられることにより、躯体部２の内部に設けられる。図柄可視部１３、当り有効表示部１４、操作台部１５、メダル投入部１６、スタート操作部１７、ストップ操作部１８、賭け数設定部１９、メダル出口部２０、メダル受皿部２１、画像可視部２２、表示灯部２３は、前面部４に設けられる。
【００１１】
回胴表示部６は、周面に定形な図柄の表示された円筒部を制御部１０に制御される図外のモーター部により回転・停止される構造である。例えば、図１に示すように、少なくとも３個の回胴表示部６が横に並んで配置され、各回胴表示部６が個別に回転及び停止するように制御部１０により制御される。回胴表示部６の個数は、４個以上であっても適用可能である。スロットマシン１の前方に居る人は、図柄可視部１３から回胴表示部６の図柄を見ることができる。
【００１２】
画像表示部７は、回胴表示部６の周囲に配置されており、平面画像及び立体画像の表示可能な平面型の表示器により構成され、遊技演出用の平面画像及び立体画像を表示する。スロットマシン１の前方に居る人は、画像可視部２２から画像表示部７の平面画像及び立体画像を見ることができる。図１では、画像表示部７は、回胴表示部６よりも上方に配置される。立体フィルター部８は、画像表示部７に表示された立体画像を裸眼で可視し得る範囲に対応する板状になっている。
【００１３】
フィルター駆動部９は、立体フィルター部８を退避位置と可視位置とに移動する構成である。退避位置は、立体フィルター部８が画像表示部７の表示面部よりも外側に退避して停止した位置である。可視位置は、立体フィルター部８が画像表示部７の表示面部の前側に出て停止した位置である。画像表示部７の表示面部は、画像表示部７の平面画像又は立体画像の表示される面の部分である。
【００１４】
制御部１０が画像表示部７に平面画像を表示させる場合には、立体フィルター部８が可視位置から退避位置に移動して停止するように、制御部１０がフィルター駆動部９を制御する。制御部１０が画像表示部７に立体画像を表示させる場合には、立体フィルター部８が退避位置から可視位置に移動して停止するように、制御部１０がフィルター駆動部９を制御する。
【００１５】
即ち、平面画像が画像表示部７の表示面部に表示される場合は、立体フィルター部８が退避位置に停止し、スロットマシン１の前方に居る人が画像表示部７の表示面部に表示された平面画像を裸眼で可視することができる。又、立体画像が画像表示部７の表示面部に表示される場合は、立体フィルター部８が可視位置に停止し、スロットマシン１の前方に居る人が画像表示部７の表示面部に表示された立体画像を立体フィルター部８より可視することができる。又、立体フィルター部８が板状であるので、立体フィルター部８の立体画像に対する視野が広くなる。
【００１６】
スロットマシン１の動作について説明すると、図外の電源スイッチ部がオン動作し、制御部１０が遊技店の側の電源から供給された電力により躯体部２に設けられた電気部品を制御し得るように動作した状態において、スロットマシン１の前方に居る人がメダルをメダル投入部１６に投入すると、躯体部２の内部に設けられた図外のメダル選別部が投入されたメダルを使用許可されていない不正なメダルであるか使用許可された正規のメダルであるかを選別する。
【００１７】
投入されたメダルが不正なメダルであると選別された場合は、メダル選別部が、その投入されたメダルをメダル出口部２０に排出する。投入されたメダルが正規なメダルであると選別された場合は、メダル選別部が、その投入されたメダルをホッパー部１１に収容すると共にメダル信号を投入されたメダルの枚数分だけ制御部１０に出力する。
【００１８】
その状態において、スロットマシン１の前方に居る人がスタート操作部１７を操作すると、スタート操作部１７が遊技開始信号を制御部１０に出力する。この遊技開始信号が制御部１０に入力された時に、制御部１０が当たり外れの抽選を実行して抽選の結果を制御部１０の記憶部に保存すると共に全部の回胴表示部６を駆動し、全部の回胴表示部６が別々に回転する。
【００１９】
全部の回胴表示部６の回転中において、スロットマシン１の前方に居る人がストップ操作部１８を操作すると、操作されたストップ操作部１８が停止信号を制御部１０に出力し、制御部１０が操作されたストップ操作部１８に対応する回胴表示部６を停止する。例えば、右側のストップ操作部１８が操作されると右側の回胴表示部６が停止し、真中のストップ操作部１８が操作されると真中の回胴表示部６が停止し、左側のストップ操作部１８が操作されると左側の回胴表示部６が停止する。
【００２０】
上記遊技開始信号の入力から所定時間が経過した時期までに、全部のストップ操作部１８からの停止信号が制御部１０に入力しない場合は、その入力しないストップ操作部１８に対応する回胴表示部６が制御部１０により停止される。所定時間は、回胴表示部６の回転超過を防止する観点から、制御部１０の記憶部に予め設定された時間である。
【００２１】
全部のストップ操作部１８が操作され、全部の回胴表示部６が停止した場合において、制御部１０の記憶部に保存された抽選の結果が当りである場合は当り有効表示部１４に有効ラインとして表示された有効ライン上に停止した図柄が例えば同じ図柄に揃う当りになるように制御部１０が全部の回胴表示部６の停止を制御する一方、御部１９の記憶部に保存された抽選の結果が外れである場合は当り有効表示部１４に有効ラインとして表示された有効ライン上に停止した図柄が例えば同じ図柄に揃わない外れになるように制御部１０が全部の回胴表示部６の停止を制御する。
【００２２】
全部の回胴表示部６が停止し、当り有効表示部１４に有効ラインとして表示された有効ライン上に停止した図柄が例えば同じ図柄に揃うと、スロット遊技が当りに確定したので、制御部１０が払い出し部１２を駆動し、揃った図柄の種類に基づく当りに応じた個数の賞品としてのメダルがホッパー部１１から払い出し部１２及びメダル出口部２０を経由してメダル受皿部２１に払い出され、段落［００１８］に記載されたスタート操作部１７の操作に対する１回のスロット遊技が終了する。このメダル受皿部２１に払い出されたメダルをスロットマシン１の前方に居る人がメダル投入部１６に投入して遊技に使用できる。
【００２３】
又、全部の回胴表示部６が停止し、当り有効表示部１４に有効ラインとして表示された有効ライン上に停止した図柄が例えば同じ図柄に揃っていないと、スロット遊技が外れであるので、制御部１０が払い出し部１２を駆動することなく、賞品としてのメダルがホッパー部１１から払い出し部１２及びメダル出口部２０を経由してメダル受皿部２１に払い出されることなく、段落［００１８］に記載されたスタート操作部１７の操作に対する１回のスロット遊技が終了する。
【００２４】
制御部１０が供給された電力により躯体部２に設けられた電気部品を制御し得るように動作し、スタート操作部１７の操作による回胴表示部６の回転が開始していない状態において、賭け数設定部１９がスロットマシン１の前方に居る人により操作されると、賭け数設定部１９が操作に応じた賭け数信号を制御部１０に出力し、制御部１０が当り有効表示部１４を制御し、当り有効表示部１４が制御部１０に基づく本数の有効ラインを表示する。賭け数設定部１９がスロットマシン１の前方に居る人により操作されることなく、スタート操作部１７が操作された場合は、制御部１０に設定された賭け数に基づく本数の有効ラインを表示する。
【００２５】
制御部１０が供給された電力により躯体部２に設けられた電気部品を制御し得るように動作したことに伴い、制御部１０が画像表示部７及びフィルター駆動部９を制御する。画像表示部７が平面画像及び立体画像の表示可能なように、制御部１０が画像表示部７を制御する。又、立体フィルター部８が退避位置から可視位置に移動して停止するように又は可視位置から退避位置に移動して停止するように、制御部１０がフィルター駆動部９を制御する。
【００２６】
例えば、画像表示部７が平面画像を表示する場合は、立体フィルター部８を図１に点線で示すように画像表示部７の表示面部よりも外側の退避位置に移動して停止するように、制御部１０がフィルター駆動部９を制御し、画像表示部７が立体画像を表示する場合は、立体フィルター部８を画像表示部７の表示面部の前側の可視位置に移動して停止するように、制御部１０がフィルター駆動部９を制御する。これにより、スロットマシン１では、画像表示部７の表示面部に表示された平面画像及び立体画像が画像可視部２２を経由して裸眼で可視できるようになっている。
【００２７】
図２を参照し、発明を実施するための形態１に係る表示ユニット部２５について説明する。図２において、７は画像表示部、８は立体フィルター部、９はフィルター駆動部、２５は表示ユニット部、２６は固定枠部、２７は可動枠部、２８はカバー部、２９はカバー駆動部、３０は前後駆動部、３１はモーター部、３２；３３は歯車、３４；３５は軸部、３６；３７；３８；３９はプーリー部、４０；４１はベルト部、４２はモーター部、４３；４４は歯車、４５は軸部、４６；４７；４８；４９はプーリー部、５０；５１はベルト部、５２はモーター部、５３はカム部、５４はカムフォロワー部、５５は弾性部、５６は軸部である。
【００２８】
表示ユニット部２５の構成について説明すると、表示ユニット部２５の固定枠部２６及び可動枠部２７は、前後方向に貫通する空間部を囲む方形になっている。可動枠部２７は、軸部５６を回転中心として前後方向に回転するように、軸部５６により固定枠部２６に連結される。固定枠部２６には、画像表示部７が設けられる。可動枠部２７には、立体フィルター部８、フィルター駆動部９、カバー部２８、カバー駆動部２９、前後駆動部３０が設けられる。
【００２９】
フィルター駆動部９は、モーター部３１、歯車３２；３３、軸部３４；３５、プーリー部３６乃至３９、ベルト部４０；４１を備える。モーター部３１は、可動枠部２７の下部に取り付けられる。モーター部３１の出力軸には、歯車３２が固定される。歯車３２には、歯車３３が噛み合わされる。下部の軸部３４には、歯車３３と右側のプーリー部３６と左側のプーリー部３８とが固定されたことにより、歯車３３とプーリー部３６；３８とが一緒に回転する。上部の軸部３５には、右側のプーリー部３７と左側のプーリー部３９とが回転可能に取り付けられる。プーリー部３６乃至３９は、外周面に歯部の形成された歯付プーリー部により構成される。ベルト部４０；４１は、無端な環状の内周面に歯部の形成された歯付ベルト部により構成される。
【００３０】
プーリー部３６；３７とベルト部４０とが可動枠部２７の内部の空間の右側に配置され、ベルト部４０が右下部のプーリー部３６と右上部のプーリー部３７とに巻き掛けられる。プーリー部３８；３９とベルト部４１とが可動枠部２７の内部の空間の左側に配置され、ベルト部４１が左下部のプーリー部３８と左上部のプーリー部３９とに巻き掛けられる。右側のベルト部４０のプーリー部３６；３７に対する前側で上下方向に延びた部分と左側のベルト部４１のプーリー部３８；３９に対する前側で上下方向に延びた部分とには、板状の立体フィルター部８の左右側部が固定される。
【００３１】
フィルター駆動部９の動作について説明する。フィルター駆動部９では、モーター部３１が例えば一方向に回転すると、モーター部３１の回転力が歯車３２；３３及びプーリー部３６を経由してベルト部４０に伝達され、ベルト部４０がプーリー部３６；３７を回転させつつ、ベルト部４０のプーリー部３６；３７に対する前側で上下方向に延びた部分が上方から下方に移動する一方、上記モーター部３１の回転力が軸部３４及びプーリー部３８を経由してベルト部４１に伝達され、ベルト部４１のプーリー部３８；３９に対する前側で上下方向に延びた部分が上方から下方に移動する。
【００３２】
又、フィルター駆動部９では、モーター部３１が例えば他方向に回転すると、モーター部３１の回転力が歯車３２；３３及びプーリー部３６を経由してベルト部４０に伝達され、ベルト部４０がプーリー部３６；３７を回転させつつ、ベルト部４０のプーリー部３６；３７に対する前側で上下方向に延びた部分が下方から上方に移動する一方、上記モーター部３１の回転力が軸部３４及びプーリー部３８を経由してベルト部４１に伝達され、ベルト部４１のプーリー部３８；３９に対する前側で上下方向に延びた部分が下方から上方に移動する。
【００３３】
一方、モーター部３１が停止した状態において、ベルト部４０のプーリー部３６；３７に対する前側で上下方向に延びた部分と、ベルト部４１のプーリー部３８；３９に対する前側で上下方向に延びた部分とにわたり固定された板状の立体フィルター部８が、図２に示すように、固定枠部２６の内部の空間部の上下方向の中間部に位置するように固定枠部２６に固定された画像表示部７の表示面部よりも外側の上方の退避位置に停止している場合を仮定する。
【００３４】
上記仮定した場合において、段落［００３１］に記載されたモーター部３１の一方向への回転に基づき、ベルト部４０のプーリー部３６；３７に対する前側で上下方向に延びた部分とベルト部４１のプーリー部３８；３９に対する前側で上下方向に延びた部分とが上方から下方に移動した場合は、立体フィルター部８が図２に実線で示すように停止していた退避位置から画像表示部７の表示面部の前側へと下方に直線的に移動する。そして、立体フィルター部８が画像表示部７の表示面部と前後に対向した可視位置に到達すると、上記モーター部の一方向への回転が停止し、立体フィルター部８が図２に仮想線で示すように可視位置に停止して画像表示部７の表示面部と前後に対向した状態になる。
【００３５】
又、立体フィルター部８が図２に仮想線で示すように可視位置に停止した状態において、段落［００３２］に記載されたモーター部３１の他方向への回転に基づき、ベルト部４０のプーリー部３６；３７に対する前側で上下方向に延びた部分とベルト部４１のプーリー部３８；３９に対する前側で上下方向に延びた部分とが下方から上方に移動した場合は、立体フィルター部８が図２に仮想線で示すように停止していた可視位置から画像表示部７の表示面部よりも上方に直線的に移動する。そして、立体フィルター部８が図２に実線で示すように画像表示部７の表示面部よりも外側の上方の退避位置に到達すると、上記モーター部の他方向への回転が停止し、立体フィルター部８が退避位置に停止して画像表示部７の表示面部よりも外側の上方に外れた状態になる。
【００３６】
即ち、制御部１０の制御により、画像表示部７が平面画像を表示する場合は、フィルター駆動部９が立体フィルター部８を画像表示部７の表示面部よりも外側の上方の退避位置に移動して停止し、画像表示部７が立体画像を表示する場合は、フィルター駆動部９が立体フィルター部８を画像表示部７の表示面部の前側の可視位置に移動して停止することにより、画像表示部７の表示面部に表示された平面画像及び立体画像を裸眼で可視することができる。
【００３７】
カバー部２８とカバー駆動部２９の構成について説明する。カバー部２８は、立体フィルター部８の前部を覆う大きさの遮光性を有る板状である。カバー駆動部２９は、モーター部４２、歯車４３；４４、軸部４５、プーリー部４６乃至４９、ベルト部５０；５１を備える。モーター部４２は可動枠部２７の下部に取り付けられる。モーター部４２の出力軸には歯車４３が固定される。歯車４３には歯車４４が噛み合わされる。下部の軸部４５には、歯車４４と左側のプーリー部４６と右側のプーリー部４８とが固定されたことにより、歯車４４とプーリー部４６；４８とが一緒に回転する。上部の軸部３５には、左側のプーリー部４７と右側のプーリー部４９とが回転可能に取り付けられる。プーリー部４６乃至４９は、外周面に歯部の形成された歯付プーリー部により構成される。ベルト部５０；５１は、無端な環状の内周面に歯部の形成された歯付ベルト部により構成される。
【００３８】
カバー駆動部２９では、モーター部４２と歯車４３；４４とプーリー部４６；４７とベルト部５０とが可動枠部２７の内部の空間の左側に配置され、ベルト部５０が左下部のプーリー部４６と左上部のプーリー部４７とに巻き掛けられ、プーリー部４８；４９とベルト部５１とが可動枠部２７の内部の空間の右側に配置され、ベルト部５１が右下部のプーリー部４８と右上部のプーリー部４９とに巻き掛けられる。左側のベルト部５０のプーリー部４６；４７に対する前側で上下方向に延びた部分と右側のベルト部５１のプーリー部４８；４９に対する前側で上下方向に延びた部分とには、板状のカバー部２８の左右側部が固定される。
【００３９】
カバー駆動部２９の動作について説明する。カバー駆動部２９では、モーター部４２が例えば一方向に回転すると、モーター部４２の回転力が歯車４３；４４及びプーリー部４６を経由してベルト部５０に伝達され、ベルト部５０がプーリー部４６；４７を回転させつつ、ベルト部５０のプーリー部４６；４７に対する前側で上下方向に延びた部分が上方から下方に移動する一方、上記モーター部４２の回転力が軸部４５及びプーリー部４８を経由してベルト部５１に伝達され、ベルト部５１のプーリー部４８；４９に対する前側で上下方向に延びた部分が上方から下方に移動する。
【００４０】
又、カバー駆動部２９では、モーター部４２が例えば他方向に回転すると、モーター部４２の回転力が歯車４３；４４及びプーリー部４６を経由してベルト部５０に伝達され、ベルト部５０がプーリー部４６；４７を回転させつつ、ベルト部５０のプーリー部４６；４７に対する前側で上下方向に延びた部分が下方から上方に移動する一方、上記モーター部４２の回転力が軸部４５及びプーリー部４８を経由してベルト部５１に伝達され、ベルト部５１のプーリー部４８；４９に対する前側で上下方向に延びた部分が下方から上方に移動する。
【００４１】
一方、モーター部４２が停止した状態において、ベルト部５０のプーリー部４６；４７に対する前側で上下方向に延びた部分とベルト部５１のプーリー部４８；４９に対する前側で上下方向に延びた部分とにわたり固定された板状のカバー部２８が、図２に実線で示すように、画像表示部７の表示面部よりも外側の上方の退避位置に停止している場合を仮定する。
【００４２】
上記仮定した場合において、段落［００３９］に記載されたモーター部４２の一方向への回転に基づき、ベルト部５０のプーリー部４６；４７に対する前側で上下方向に延びた部分とベルト部５１のプーリー部４８；４９に対する前側で上下方向に延びた部分とが上方から下方に移動した場合は、カバー部２８が図２に実線で示すように停止していた退避位置から画像表示部７の表示面部の前側へと下方に直線的に移動する。そして、カバー部２８が画像表示部７の表示面部と前後に対向した可視位置に到達すると、上記モーター部４２の一方向への回転が停止し、カバー部２８が可視位置に停止して画像表示部７の表示面部と前後に対向した状態になる。
【００４３】
又、カバー部２８が可視位置に停止した状態において、段落［００４０］に記載されたモーター部４２の他方向への回転に基づき、ベルト部５０のプーリー部４６；４７に対する前側で上下方向に延びた部分とベルト部５１のプーリー部４８；４９に対する前側で上下方向に延びた部分とが下方から上方に移動した場合は、カバー部２８が停止していた可視位置から画像表示部７の表示面部よりも上方に直線的に移動する。そして、カバー部２８が図２に実線で示すように画像表示部７の表示面部よりも外側の上方の退避位置に到達すると、上記モーター部４２の他方向への回転が停止し、カバー部２８が退避位置に停止して画像表示部７の表示面部よりも外側の上方に外れた状態になる。
【００４４】
即ち、制御部１０の制御により、画像表示部７が平面画像を表示する場合は、フィルター駆動部９が立体フィルター部８を画像表示部７の表示面部よりも外側の上方の退避位置に移動して停止すると共に、カバー駆動部２９がカバー部２８を画像表示部７の表示面部よりも外側の上方の退避位置に移動して停止することにより、画像表示部７の表示面部に表示された平面画像が裸眼で可視可能になる。又、制御部１０の制御により、画画像表示部７が立体画像を表示する場合は、フィルター駆動部９が立体フィルター部８を画像表示部７の表示面部の前側の可視位置に移動して停止すると共に、カバー駆動部２９がカバー部２８を画像表示部７の表示面部の前側の可視位置に移動して停止した後に可視位置から退避位置に移動して停止することにより、画像表示部７の表示面部に表示された立体画像が立体フィルター部８を経由して裸眼で可視可能になる。
【００４５】
尚、カバー駆動部２９によるカバー部２８を退避位置から可視位置に移動する速度は、フィルター駆動部９による立体フィルター部８を退避位置から可視位置に移動する速度と同期した同速度となるように、制御部１０がモーター部３１；４２を制御することにより、カバー部２８が立体フィルター部８を前側から覆い隠すように退避位置から可視位置に移動して停止する。そして、カバー部２８と立体フィルター部８とが可視位置に停止した後は、カバー駆動部２９がカバー部２８を可視位置から退避位置に移動して停止するので、画像表示部７の表示面部に表示された立体画像が立体フィルター部８を経由して裸眼で可視可能になる。
【００４６】
又、前後駆動部３０の構造について説明する。前後駆動部３０は、モーター部５２、カム部５３、カムフォロワー部５４、弾性部５５を備える。モーター部５２は、固定枠部２６の下部の左右方向の真中に取り付けられる。モーター部５２の出力軸にはカム部５３が固定される。カムフォロワー部５４は、可動枠部２７の下部の左右方向の真中より下方に突出するように可動枠部２７に設けられる。弾性部５５は、カムフォロワー部５４をカム部５３に接触させる方向の弾力をカムフォロワー部５４に与えるものであり、例えばコイルスプリングのようなバネにより構成される。
【００４７】
フィルター駆動部９の歯車３２；３３、軸部３４；３５、プーリー部３６乃至３９、ベルト部４０；４１からなる動力伝達機構部は、ネジ棒部とナット部とからなる動力伝達機構部又はピニオン部とラック部とからなる動力伝達機構部で構成しても適用可能である。ネジ棒とナット部とからなる動力伝達機構部の場合は、ナット部に立体フィルター部８を固定し、ネジ棒部をモーター部３１で回転することにより、立体フィルター部８が退避位置と可視位置とに移動・停止する。ピニオン部とラック部とからなる動力伝達機構部の場合は、ラック部に立体フィルター部８を固定し、ピニオン部をモーター部３１で回転することにより、立体フィルター部８が退避位置と可視位置とに移動・停止する。
【００４８】
又、カバー駆動部２９の歯車４３；４４、軸部３５；４５、プーリー部４６乃至４９、ベルト部５０；５１からなる動力伝達機構部は、ネジ棒部とナット部とからなる動力伝達機構部又はピニオン部とラック部とからなる動力伝達機構部で構成しても適用可能である。ネジ棒とナット部とからなる動力伝達機構部の場合は、ナット部にカバー部２８を固定し、ネジ棒部をモーター部４２で回転することにより、カバー部２８が退避位置と可視位置とに移動・停止する。ピニオン部とラック部とからなる動力伝達機構部の場合は、ラック部に立体フィルター部８を固定し、ピニオン部をモーター部４２で回転することにより、カバー部２８が退避位置と可視位置とに移動・停止する。
【００４９】
図３を参照し、発明を実施するための形態１に係るスロットマシン１の表示ユニット部２５の周囲について説明する。図３において、１はスロットマシン、７は画像表示部、８は立体フィルター部、９はフィルター駆動部、２２は画像可視部、２５は表示ユニット部、２６は固定枠部、２７は可動枠部、２８はカバー部、２９はカバー駆動部、３０は前後駆動部、３４；３５は軸部、３６；３７はプーリー部、４１はベルト部、４５は軸部、４８；４９はプーリー部、５１はベルト部、５２はモーター部、５３はカム部、５４はカムフォロワー部、５５は弾性部、５６は軸部、５７は開口部、５８は透視部、５９は隙間である。
【００５０】
画像可視部２２について説明する。画像可視部２２は、開口部５７と透視部５８とを備える。開口部５７は、前面部４に前後方向に貫通した造形である。透視部５８は、透明な板状であり、開口部５７を塞ぐように前面部４に固定される。よって、スロットマシン１の前方に居る人は、画像可視部２２の開口部５７及び透視部５８を経由して画像表示部７の平面画像及び立体画像を見ることが可能になる。
【００５１】
図３では、立体フィルター部８が仮想線で示す退避位置から実線で示すように可視位置に移動して停止し、前後駆動部３０のモーター部５２の動力によりカム部５３が弾性部５５の弾力に抗してカムフォロワー部５４を前方から後方に押したことにより可動枠部２７が軸部５６を回転中心として前方から後方に移動して立体フィルター部８が画像表示部７の側に寄って画像表示部７の表示面部と平行になった状態を例示した。立体フィルター部８と画像表示部７の表示面部との間の隙間５９は、例えば１ｍｍ程度に設定されており、画像表示部７の熱劣化を防止できるようになっている。
【００５２】
又、図３では、立体フィルター部８の上下方向の寸法が画像表示部７の表示面部の上下方向の寸法よりも小さく設定されており、立体フィルター部８が画像表示部７の表示面部の一部に表示された立体画像に対応する可視位置に停止し、画像表示部７の表示面部の立体フィルター部８よりも外側に外れた部分には平面画像を表示した場合を例示したが、立体フィルター部８の上下方向の寸法を画像表示部７の表示面部の上下方向の寸法以上に設定して画像表示部７の表示面部の全面に立体画像を表示しても適用可能である。尚、図３では、図を見やすくするために、固定枠部２６の前後方向の幅を表す縦に延びる実線の一部及び可動枠部２７の前後方向の幅を表す縦に延びる実線の一部の図示を省略した。
【００５３】
又、図３では、立体フィルター部８及びカバー部２８を画像表示部７の真上に平行に退避させて退避位置に停止した立体フィルター部８及びカバー部２８の前部が画像表示部７の表示面部と同じに前方に向いた場合を例示したが、立体フィルター部８及びカバー部２８を画像表示部７の真下に平行に退避させても適用可能である。又、立体フィルター部８及びカバー部２８可撓性の有る材料により構成する一方、画像表示部７の真上又は真下にベルト４１；４２；５１；５２の移動方向を後方に曲げるプーリー部を個別に設けて立体フィルター部８及びカバー部２８を画像表示部７の真上又は真下で後方に曲げつつ移動かつ退避させて表示ユニット部２５の上下方向の寸法を小さく形成しても適用可能である。立体フィルター部８及びカバー部２８を画像表示部７の真上又は真下で後方に曲げて退避させた場合には、退避位置に停止した立体フィルター部８及びカバー部２８の前部が上又は下に向く態様になる。
【００５４】
図３に示すように、表示ユニット部２５が画像表示部７、立体フィルター部８、フィルター駆動部９、カバー部２８、カバー駆動部２９、前後駆動部３０からなる構造物として構成されたことにより、表示ユニット部２５が図１に示す躯体部２の内部に取り付けられるので、平面画像及び立体画像を裸眼で可視できるスロットマシン１を提供できる。
【００５５】
図４を参照し、発明を実施するための形態１に係る立体フィルター部８について説明する。図４において、７は画像表示部、８は立体フィルター部、５９は隙間、６５は人、６６は左目、６７は右目である。図４に示すように、立体フィルター部８は、ＣＬＲにより構成される。ＣＬＲは、Chromatic Light Deflectorの頭文字からなる略号であり、東京都千代田区外神田２-２-１９丸和ビルに住所を有するＶＭＪ株式会社が開発した製品であり、画像表示部７に多視点画像として表示された立体画像を異なった方向に偏光することにより人６５の左目６６及び右目６７を通して人６５の脳に立体画像として知覚させる多層光学フイルムにより構成される。これにより、人６５が板状のＣＬＲよりなる立体フィルター部８を経由して画像表示部７に表示された立体画像を裸眼で可視できるうえ、立体フィルター部８が画像表示部７に表示された立体画像に対応した板状であるので、立体画像に対する視野が広くなる。又、隙間５９が例えば１ｍｍ程度に設定されたことにより、焦点距離が０．４ｍ乃至０．６ｍになっている。隙間５９を広くすると、焦点距離が長くなり、焦点距離は１．５ｍに設定されるのが一般的である。
【００５６】
図５を参照し、発明を実施するための形態１に係る立体フィルター部８の多層光学フイルムの画像表示部７の表示面部に対する相関について説明する。図５に示すように、立体フィルター部８を構成する多層光学フイルムは、大まかには、正面から見た場合において、多数個の方形に区分されたセグメント６８が互いに縦横に連結された格子状に配置され、各セグメント６８の表面部が半球形の凸レンズ部として構成され、各セグメント６８の区分線６９が画像表示部７の表示面部の仮想線で示す縦横の線７０；７１と平行に配置された構造である。このように各セグメント６８の区分線６９が画像表示部７の表示面部の仮想線で示す縦横の線７０；７１と平行に配置されたことにより、視点移動がなく、立体画像が適切な立体画像として見える。これに対し、各セグメント６８の区分線６９が画像表示部７の表示面部の仮想線で示す縦横の線７０；７１と交差するように斜めに配置した場合は、視点移動があり、立体画像がぼやけて見える。区分線６９は立体フィルター部８に表示されるものではなく、仮定のものである。
【００５７】
図６を参照し、発明を実施するための形態１に係るパチンコ機６１について説明する。図６において、７は画像表示部、８は立体フィルター部、９はフィルター駆動部、６１はパチンコ機、６２は躯体部、６３は外枠部、６４は前枠部、６５は前面部、６６は遊技盤部、６７は玉発射部、６８はガラス窓部、６９はガイドレール部、７０は画像可視部、７１はセンター飾り部、７２は入賞口部、７３は制御部である。
【００５８】
パチンコ機６１の構成について説明すると、パチンコ機６１の躯体部６２は、外枠部６３と前枠部６４と前面部６５とを備える。外枠部６３は、前後方向に貫通し左右上下に囲まれた方形であり、遊技店の島設備と呼ばれる遊技機設置設備に取り付けられる。前枠部６４及び前面部６５は、外枠部６３前部に個別に開閉可能に取り付けられる。前枠部６４には、遊技盤部６６及び玉発射部６７が設けられる。前面部６５には、ガラス窓部６８及び図外の玉受皿部及び図外の発射操作部が設けられる。遊技盤部６６の前部には、ガイドレール部６９、画像可視部７０を有するセンター飾り部７１、入賞口部７２等の部品が設けられる。遊技盤部６６の後部には、画像表示部７、立体フィルター部８、フィルター駆動部９、制御部７３等の部品が設けられる。
【００５９】
パチンコ機６１の動作について説明する。前枠部６４及び前面部６５が外枠部６３に図外の施錠部で開放不可能に閉じられ、図外の電源スイッチ部がオン動作し、制御部７３及び前枠部６４の後部に設けられた図外の制御部が遊技店の側の電源から供給された電力により躯体部６２に設けられた電気部品を制御し得るように動作した状態において、パチンコ機６１の前方に居る人が玉受皿部に玉を入れかつ発射操作部を操作すると、玉発射部６７が玉受皿部からパチンコ機１の躯体部６２の内部に１個ずつ導かれた玉を発射操作部の操作量に応じた発射力で発射する。
【００６０】
この発射された玉は、遊技盤部６６の前部とガラス窓部６８との間の遊技空間部の上部に到達した後に遊技空間部を落下する。遊技空間部を落下する玉が入賞口部７１に取り込まれると、賞品として玉が前枠部６４の後部より玉受皿部に払い出される。遊技空間部を落下する玉が入賞口部７１に取り込まれずに遊技空間部の下部に到達すると、図外のアウト口部から遊技機設置設備へと排出される。
【００６１】
制御部７３及び図外の制御部が供給された電力により躯体部６２に設けられた電気部品を制御し得るように動作することに伴い、制御部７３が画像表示部７及びフィルター駆動部９を制御する。画像表示部７が平面画像及び立体画像の表示可能なように、制御部７３が画像表示部７を制御する。又、立体フィルター部８が退避位置から可視位置に移動して停止するように又は可視位置から退避位置に移動して停止するように、制御部７３がフィルター駆動部９を制御する。
【００６２】
例えば、画像表示部７が平面画像を表示する場合は、立体フィルター部８を図６に点線で示すように画像表示部７の表示面部よりも外側の退避位置に移動して停止するように、制御部７３がフィルター駆動部９を制御し、画像表示部７が立体画像を表示する場合は、立体フィルター部８を画像表示部７の表示面部の前側の可視位置に移動して停止するように、制御部７３がフィルター駆動部９を制御する。これにより、パチンコ機６１では、画像表示部７の表示面部に表示された平面画像及び立体画像が画像可視部７０を経由して裸眼で可視できるようになっている。
【００６３】
図７を参照し、発明を実施するための形態２に係る表示ユニット部２５について説明する。図７において、７は画像表示部、８は立体フィルター部、９はフィルター駆動部、２５は表示ユニット部、２８はカバー部、２９はカバー駆動部、３０は前後駆動部、５９は隙間、７３は制御部である。図７では、図を見やすくするために、図２に示した固定枠部２６、可動枠部２７、モーター部３１、歯車３２；３３、軸部３４；３５、プーリー部３６乃至３９、ベルト部４０；４１、モーター部４２、歯車４３；４４、軸部４５、はプーリー部４６乃至４９、ベルト部５０；５１、モーター部５２、カム部５３、カムフォロワー部５４、弾性部５５、軸部５６の図示は省略した。
【００６４】
図７では、制御部７３の制御により、フィルター駆動部９が立体フィルター部８を仮想線で示す退避位置から点線で示すように可視位置に移動して停止し、前後駆動部３０が立体フィルター部８を画像表示部７の表示面部と平行にした状態を例示した。立体フィルター部８と画像表示部７の表示面部との間の隙間５９は、例えば１ｍｍ程度に設定されており、画像表示部７の熱劣化を防止できるようになっている。これにより、ガラス窓部６８の前方に居る人は、センター飾り部７１の画像可視部７０及び立体フィルター部８を経由して画像表示部７の立体画像を見ることが可能になる。そして、制御部７３の制御により、前後駆動部３０が立体フィルター部８を画像表示部７の表示面部より前側に離し、フィルター駆動部９が立体フィルター部８を点線で示すように可視位置から仮想線で示すように退避位置に移動して停止することにより、ガラス窓部６８の前方に居る人は、センター飾り部７１の画像可視部７０を経由して画像表示部７の平面画像を見ることが可能になる。
【００６５】
図７に示すように、表示ユニット部２５が画像表示部７、立体フィルター部８、フィルター駆動部９、カバー部２８、カバー駆動部２９、前後駆動部３０からなる構造物として構成されたことにより、表示ユニット部２５を遊技盤部２９の後部に取り付けられることにより、平面画像及び立体画像を裸眼で可視できるパチンコ機６１を提供できる。
【００６６】
図８を参照し、発明を実施するための形態３に係る立体フィルター部８の案内構造部７４について説明する。図８において、７は画像表示部、８は立体フィルター部、７４は案内構造部、７５；７６はガイド部、７７；７８は被カイド部である。案内構造部７４の構造について説明すると、案内構造部７４は、前後のガイド部７５；７６と上下の被カイド部７７；７８を備える。ガイド部７５；７６は、画像表示部７を前から見た場合に画像表示部７に対し左右に一対配置されるが、図８では右側に設置されたガイド部７５；７６が図示された状態である。被カイド部７７；７８は、立体フィルター部８を前から見た場合に立体フィルター部８に対し左右に一対設けられるが、図８では右側に設置された被カイド部７７；７８が図示された状態である。案内構造部７４の動作について説明すると、被カイド部７７；７８がガイド部７５；７６に嵌め合わされた状態において、立体フィルター部８がフィルター駆動部９に相当するフィルター駆動部で退避位置から可視位置に移動される場合には、被カイド部７７；７８がガイド部７５；７６に誘導され、立体フィルター部８が画像表示部７の表示面部の側に寄せられる一方、立体フィルター部８がフィルター駆動部９に相当するフィルター駆動部で可視位置から退避位置に移動される場合には、被カイド部７７；７８がガイド部７５；７６に誘導され、立体フィルター部８が画像表示部７の表示面部より前側に遠ざかる。これにより、フィルター駆動部９に相当するフィルター駆動部の動作だけで立体フィルター部８を退避位置と可視位置とに移動すると共に画像表示部７の側に寄せたり画像表示部７より前側に遠ざけたりすることができ、発明を実施するための形態１に係る前後駆動機構３０を省略することができる。又、ガイド部７５；７６による被カイド部７７；７８の誘導により可視位置において立体フィルター部８の画像表示部７の表示面部に対する平行度が適切に設定される。
【００６７】
図９を参照し、発明を実施するための形態４に係る立体フィルター部８について説明する。図９において、７は画像表示部、８は立体フィルター部、７９はアーム部、８０は軸部被カイド部である。立体フィルター部８の構造について説明すると、立体フィルター部８に設けられたアーム部７９が図外のモーター部により画像表示部７よりも側方の部分における軸部８０を回転中心として回転されるようになっている。立体フィルター部８の動作について説明すると、立体フィルター部８が図外のモーター部により実線で示すように退避位置と仮想線で示すように可視位置とに移動される。
【００６８】
尚、図１のスロットマシン１又は図６のパチンコ機６１において、立体フィルター部８を左右に２枚用意し、フィルター駆動部９が２枚の立体フィルター部８を左右方向に開閉するように移動・停止するように構成しても適用可能である。又、立体フィルター部８を上下に２枚用意し、フィルター駆動部９が２枚の立体フィルター部８を上下方向に開閉するように移動・停止するように構成しても適用可能である。立体フィルター部８を左右に２枚用意した場合及び立体フィルター部８を上下に２枚用意した場合の何れの場合においても、２枚の立体フィルター部８が開く場合は、２枚の立体フィルター部８が互いに離れる方向に移動して、２枚の立体フィルター部８の間に隙間が形成され、その隙間から画像表示部７の平面画像が見えるようになる。２枚の立体フィルター部８が閉じる場合は、２枚の立体フィルター部８が互いに近づく方向に移動して１枚の態様になり、画像表示部７の立体画像が１枚の態様になった２枚の立体フィルター部８を経由して見えるようになる。又、図２、図３及び図７におけるカバー部２８、カバー駆動部２９、前後駆動部３０を設けなくても適用可能である。
【符号の説明】
【００６９】
１はスロットマシン、２は躯体部、３は筐体部、４は前面部、５は把手部、６は回胴表示部、７は画像表示部、８は立体フィルター部、９はフィルター駆動部、１０は制御部、１１はホッパー部、１２は払い出し部、１３は図柄可視部、１４は当り有効表示部、１５は操作台部、１６はメダル投入部、１７はスタート操作部、１８はストップ操作部、１９は賭け数設定部、２０はメダル出口部、２１はメダル受皿部、２２は画像可視部、２３は表示灯部、２４は欠番、２５は表示ユニット部、２６は固定枠部、２７は可動枠部、２８はカバー部、２９はカバー駆動部、３０は前後駆動部、３１はモーター部、３２；３３は歯車、３３；３４は軸部、３５乃至３８はプーリー部、４１はベルト部、４２はモーター部、４３；４４は歯車、４５は軸部、４６乃至４９はプーリー部、５０；５１はベルト部、５２はモーター部、５３カム部、５４はカムフォロワー部、５５は弾性部、５６は軸部、５７は開口部、５８は透視部、５９は隙間、６０は欠番、６１はパチンコ機、６２は躯体部、６３は外枠部、６４は前枠部、６５は前面部、６６はガラス窓部、６７は遊技盤部、６８はガラス窓部、６９はガイドレール部、７０は画像可視部、７１はセンター飾り部、７２は入賞口部、７３は制御部、７４は案内構造部、７５；７６はガイド部、７７；７８は被ガイド部、７９はアーム部、８０は軸部、８１はパチンコ機、８２は遊技盤部、８３は演出表示部、８４はガラス窓部、８５は画像表示部、８６；８７は収容部、８８；８９は立体可視部、９０；９１はメガネ部、９２；９３は軸部。
【図１】
2015016129.tif 000003
【図２】
2015016129.tif 000004
【図３】
2015016129.tif 000005
【図４】
2015016129.tif 000006
【図５】
2015016129.tif 000007
【図６】
2015016129.tif 000008
【図７】
2015016129.tif 000009
【図８】
2015016129.tif 000010
【図９】
2015016129.tif 000011
【図１０】
2015016129.tif 000012